(57)【要約】【課題】手や指が不自由な高齢者や身体に障害がある人でも、手首や肘、腰、足などが動けば手助けなしに引戸を開閉して入場したり退場したりすることができる引手を提供する。【解決手段】引戸Ｄ１に設けられた引手ユニット１０は、引戸Ｄ１の戸当たり面側に嵌め込み装着される金属製のコ字状部材１２と、コ字状部材１２の一方の腕部１２ａに引戸Ｄ１の一面側の凹凸面として設けられた第１の手掛部１４ａと、コ字状部材１２の他方の腕部１２ｂに、引戸の他面側の凹凸面として設けられた第２の手掛部１４ｂとを備えている。この第１の手掛部１４ａと第２の手掛部１４ｂとは、木製の棒状部材１１を所定間隔ごとに隙間を空けて配置することで形成されている。【選択図】図１
2012031689.tif 000002
【特許請求の範囲】
【請求項１】
引戸に設けられる引手において、
前記引戸を開閉方向に移動させるための手掛部が、前記引戸の開閉方向に沿って凹部と凸部とが連続した凹凸面に形成されていることを特徴とする引手。
【請求項２】
前記凹凸面は、開閉方向に棒状部材が所定間隔ごとに配置されたものである請求項１記載の引手。
【請求項３】
前記引戸の戸当たり面側に嵌め込み装着されるコ字状部材と、前記コ字状部材の一方の腕部に、前記引戸の一面側の前記凹凸面として設けられた第１の手掛部と、前記コ字状部材の他方の腕部に、前記引戸の他面側の前記凹凸面として設けられた第２の手掛部とを備えた請求項１または２記載の引手。
【請求項４】
引き違い戸のうちの一方の引戸に装着される前記コ字状部材は、前記一方の引戸が他方の引戸と重なり合うときに、他の引戸が前記コ字状部材内に配置される形状である請求項３記載の引手。
【請求項５】
前記凹凸面は、前記引戸の上部から下部の長さに形成されている請求項１から３のいずれかの項に記載の引手。
【発明の詳細な説明】
【技術分野】
【０００１】
本発明は、引戸に設けられる引手に関するものである。
【背景技術】
【０００２】
引戸に設けられる引手について、車椅子に乗った人や、俊敏な動作が難しくなった高齢者でも、容易に引戸の開け閉めをすることができるものが研究されている。
例えば、特許文献１には、引戸の両側部に縦框が設けられ、この縦框のそれぞれ表裏両面の上端部から下端部にわたり縦方向に溝が設けられた引戸が記載されている。また、特許文献２，３には、凹面と凸面とが上下方向に連続した長尺帯状の引手が記載されている。
【先行技術文献】
【特許文献】
【０００３】
【特許文献１】特開平９−５３３７０号公報
【特許文献２】特開平１１−３２４４２０号公報
【特許文献３】特開平２００２−３０９８０９号公報
【発明の概要】
【発明が解決しようとする課題】
【０００４】
特許文献１〜３に記載の従来の引手は、凹部が上下方向に延びる溝であったり、凹部が上下方向に連続して設けられていたりしているので、身長が高い者や低い者、車椅子に乗車した人であっても、指先が引手の窪みに掛けやすいので操作がしやすい。しかし、特許文献１〜３に記載の従来の引手では、手や指が不自由な人は、指先を窪みに掛けることができず開閉が困難である。
【０００５】
バリアフリー住宅は、廊下と居室との境界の段差を無くしたり、通路や浴槽、階段に手摺りを設けたりして、高齢者や障害者でも安心して居住できるようにしたものであるが、引戸の開閉が困難な状態では、電動による自動ドアにするか、部屋の往来や住宅への出入りに手助けが必要となってしまうため、生活者に取っては重要な問題である。高齢化社会は益々その傾向が強くなる一方であり、進むに連れて益々バリアフリー住宅の重要性が増してくる。従って、高齢者や身体に障害がある人が引戸を容易に開閉できる引手はバリアフリー住宅においては重要である。
【０００６】
そこで本発明は、手や指が不自由な高齢者や障害がある人でも、手首や肘、腰、足などが動けば手助けなしに引戸を開閉して入場したり退場したりすることができる引手を提供することを目的とする。
【課題を解決するための手段】
【０００７】
本発明は、引戸に設けられる引手において、前記引戸を開閉方向に移動させるための手掛部が、前記引戸の開閉方向に沿って凹部と凸部とが連続した凹凸面に形成されていることを特徴とする。
本発明の引手は、引戸を開閉方向に移動させるための手掛部が、凹凸面に形成されている。この凹凸面は、引戸の開閉方向に沿って凹部と凸部とが連続しているので、いずれかの凸部に手や手首、肘などが掛かれば引戸を移動させることができる。また、手が不自由な人や、手が欠損している人は、肘や手首を凹凸面に押し当てるようにする。更に、上腕が欠損したり麻痺したりしている人の場合は、腰や臀部、足などを凹凸面に押し当てるようにする。そうすることで、当接部位が引戸の開閉方向に沿って並ぶそれぞれの凸部に分散して幅広い範囲で接するので、開閉方向に当接部位を動かしても凹凸面上で当接部位が滑ることなく引戸を開けることができる。従って、体の様々な部位で引戸を開けることができるので、指先で操作することなく引戸の開閉を容易に行うことができる。
【０００８】
前記凹凸面が、開閉方向に棒状部材が所定間隔ごとに配置されたものであると、棒状部材が凸部となり、棒状部材同士の間の空間が凹部となるので、手掛部として凹凸面を簡単な構成で形成することができるだけでなく、指先であればそれぞれの棒状部材を掴むようにして把持して引戸を開閉することができ、前膊（腕の肘から手首までの部分）であれば押し当てるようにして引戸を開閉することができる。
【０００９】
更に、本発明の引手は、前記引戸の戸当たり面側に嵌め込み装着されるコ字状部材と、前記コ字状部材の一方の腕部に、前記引戸の一面側の前記凹凸面として設けられた第１の手掛部と、前記コ字状部材の他方の腕部に、前記引戸の他面側の前記凹凸面として設けられた第２の手掛部とを備えたものであるのが望ましい。
引戸の戸当たり面側に嵌め込み装着されるコ字状部材によって、第１の手掛部と第２の手掛部とを引戸に配置することができる。従って、既設の引戸に、第１の手掛部と第２の手掛部とが設けられたコ字状部材を嵌め込むことで、後付けで本発明の引手を引戸に装着することが簡単にできる。
【００１０】
引き違い戸のうちの一方の引戸に装着される前記コ字状部材は、前記一方の引戸が他方の引戸と重なり合うときに、他の引戸が前記コ字状部材内に配置される形状であると、両方の引戸が重なりあっても、第１，２のいずれの手掛部も邪魔にならないので、本発明の引手を引き違い戸でも装着することができる。
【００１１】
前記凹凸面が、前記引戸の上部から下部の長さに形成されていると、手掛位置を上下方向に幅広く確保することができるので、車椅子に乗った人や身長の高い大人であっても、容易に引戸の開閉を行うことができる。
【発明の効果】
【００１２】
本発明の構成によれば、体の様々な部位で操作することができることにより、指先で操作することなく開閉を容易に行うことができるので、高齢者や身体に障害がある人でも手助けなしに引戸を開閉して、入場したり退場したりすることができる。
【図面の簡単な説明】
【００１３】
【図１】本発明の実施の形態１に係る引手ユニットを示す斜視図である。
【図２】図１に示す引手ユニットが引き違い戸に取り付けられた状態を示す正面図である。
【図３】図１に示す引手ユニットが引き違い戸に取り付けられた状態を示す断面図である。
【図４】図１に示す引手ユニットの平面図である。
【図５】本発明の実施の形態２に係る引手ユニットが引き違い戸に取り付けられた状態を示す正面図である。
【図６】図５に示す引手ユニットの連結具を説明するための断面図である。
【図７】他の手掛部を示す断面図である。
【発明を実施するための形態】
【００１４】
本発明の実施の形態１に係る引戸ユニットを図面に基づいて説明する。図１および図２に示すように、本実施の形態１に係る引戸ユニット１０は、引き違い戸の一方の引戸Ｄ１に後付で装着されて引手として使用されるものである。
図１から図４に示す引戸ユニット１０は、引戸Ｄ１を開閉するときの手掛部を形成する棒状部材１１と、棒状部材１１を引戸Ｄ１に固定するコ字状部材１２と、それぞれの棒状部材１１の上端および下端を連結する一対の連結具１３とにより形成されている。
【００１５】
棒状部材１１は、一辺が約３０ｍｍの正方形状の断面で、長さが約６００ｍｍの木製の棒体である。本実施の形態では引戸ユニット１０を木製の引戸Ｄ１に装着するために、棒状部材１１としてナラ材を使用しているが、引戸に合わせて金属製としても、樹脂製としてもよい。棒状部材１１は、角部が面取されている方が安全面から望ましい。
棒状部材１１は、両端の位置を合わせて、所定間隔ごとに隙間を空けて、開閉方向に沿って並べられている。本実施の形態１に係る引戸ユニット１０では、棒状部材１１同士の間の隙間を約２５ｍｍとしている。
【００１６】
コ字状部材１２は、引戸ユニット１０の上部および下部に一対設けられている。コ字状部材１２は、一対の腕部（一方の腕部１２ａ，他方の腕部１２ｂ）と、引戸Ｄ１の戸当たり面Ｓにねじなどの固定手段により固定される中継部１２ｃとを備え、帯状の金属板を折り曲げ加工したものである。本実施の形態では、コ字状部材１２を、幅が約３０ｍｍ、厚みが３ｍｍの長尺状のステンレス板により形成しており、腕部１２ａ，１２ｂを約２５０ｍｍ、中継部１２ｃが約１７０ｍｍとしている。このコ字状部材１２の腕部１２ａ，１２ｂに棒状部材１１がねじ止めされ、配置されていることで、凹凸面として、一方の腕部１２ａに第１の手掛部１４ａが形成され、他方の腕部１２ａに第２の手掛部１４ｂが形成されている。
【００１７】
引戸Ｄ１の一面側に位置するコ字状部材１２の一方の腕部１２ａ側には、引戸Ｄ１を開閉するときに、第１の手掛部１４ａを構成する棒状部材１１のいずれかの間の隙間に指先を挿入して棒状部材１１に引っ掛けられるように、約３０ｍｍの隙間が引戸Ｄ１との間に確保されている。また、引戸Ｄ１の他面側に位置するコ字状部材１２の他方の腕部１２ｂ側には、引戸Ｄ１を開き、引き違い戸の他方の引戸Ｄ２に重なったときに、第２の手掛部１４ｂと引戸Ｄ２とが干渉しないように、約１００ｍｍの隙間が引戸Ｄ１との間に確保されている。なお、引戸Ｄ１が他の引戸や壁などと重なり合わなければ、この隙間は無くてもよい。
【００１８】
コ字状部材１２が引戸Ｄ１が取り付けられている戸当たり面Ｓに、窪みが設けられていると、戸枠Ｗと引戸Ｄ１の戸当り面Ｓとの間に隙間ができないので望ましい。
なお、本実施の形態１に係るコ字状部材１２のように長尺状の帯状部材で形成すること以外に、板状部材を折り曲げたり連結したりしてコ字状部材を構成してもよい。
【００１９】
連結具１３は、長さが約２５０ｍｍ、幅が約３０ｍｍ、厚みが約３ｍｍの帯状の金属板により形成されている。連結具１３により、第１の手掛部１４ａと第２の手掛部１４ｂとを形成する棒状部材１１の上端同士が連結されている。また、連結具１３により、棒状部材１１の下端同士が連結されている。この連結具１３は、棒状部材１１の強度が確保できれば、省略することが可能である。
【００２０】
以上のように構成された本発明の実施の形態１に係る引手ユニット１０の使用状態について、図面に基づいて説明する。本実施の形態１では、第１の手掛部１４ａを使って引戸Ｄ１を開く操作を説明する。
【００２１】
指先が思い通りに動く人の場合には、親指を除く指の先全部をいずれかの２本の棒状部材１１の間に入れたり、手を開いてそれぞれの指先を異なる棒状部材１１同士の間の隙間にそれぞれに入れて、並ぶ棒状部材１１を掴むようにしたりして、引戸Ｄ１が開く方向へ移動させることで、引戸Ｄ１を開くことができる。
【００２２】
第１の手掛部１４ａと引戸Ｄ１との間には、棒状部材１１と指先との引っ掛かりを十分確保するための隙間が設けられているので、棒状部材１１同士の間に指先を挿入する場合には確実に手掛りさせることができる。
【００２３】
手が不自由または欠損している人の場合には、前膊を第１の手掛部１４ａの凹凸面に押し当てるようにする。そうすると、当接部位である前膊が引戸Ｄ１の開閉方向に沿って並ぶ棒状部材１１によってできるそれぞれの凸部に分散して当たる。そして、前膊を引戸Ｄ１が開く方向へ動かすことで、前膊が広い範囲で第１の手掛部１４ａに当たった状態で引戸Ｄ１の開く方向へ押すことになるので、前膊が第１の手掛部１４ａ上で滑ることなく力を引戸Ｄ１に伝達することができる。従って、手が不自由であったりまたは欠損していたりする人であっても、指先で操作することなく引戸Ｄ１を無理なく開くことができる。
【００２４】
また、上腕が欠損したり麻痺していたりする人の場合には、腰や臀部、足などを当接部位として、第１の手掛部１４ａの凹凸面に押し当てるようにする。このようにしても、第１の手掛部１４ａ上で滑ることなく、力を引戸Ｄ１に伝達することができる。
【００２５】
引戸Ｄ１が完全に開き、他方の引戸Ｄ２と重なっても、コ字状部材１２は、第２の手掛部１４ｂと引戸Ｄ１との間に他方の引戸Ｄ２を納める隙間が確保された形状に形成されているので、引戸Ｄ１を問題なく開放状態とすることができる。
【００２６】
このように本実施の形態１に係る引手ユニット１０によれば、指先で操作することなく引戸Ｄ１の開閉を容易に行うことができるので、高齢者や身体に障害がある人が手助けなしに引戸を開閉して入場したり退場したりすることができる。
【００２７】
また、引手ユニット１０は、引戸Ｄ１に埋め込まずに、戸当たり面Ｓ側から引戸Ｄ１に被せるように嵌め込み装着することで、引戸Ｄ１に取り付けることができるので、既設の引戸に簡単に取り付けることができる。従って、引手ユニット１０は、バリアフリー住宅として設計される住宅だけでなく、居住者の高齢化に伴って住宅設備をバリアフリー化するときには好適に用いることができる。
【００２８】
なお、本実施の形態１に係る引手ユニット１０には、第１の手掛部１４ａと引戸Ｄ１との間に隙間が確保されているが、棒状部材１１の太さによっては、棒状部材１１同士の間の隙間だけで十分に指先の引っ掛かりが確保できるので、その場合には、第１の手掛部１４ａと引戸Ｄ１との間に隙間を設けずに、腕部１２ａを引戸Ｄ１と接するようにしてもよい。
【００２９】
（実施の形態２）
本発明の実施の形態２に係る引手ユニットを図面に基づいて説明する。なお、図５においては、図１と同じ構成のものは同符号を付して説明を省略する。
本実施の形態２に係る引手ユニット１０ｘは、棒状部材１１が、引戸Ｄ１の上部から下部の長さに形成されていることを特徴とするものである。
【００３０】
図５に示す引手ユニット１０ｘには、長い棒状部材１１の強度を確保するために、コ字状部材１２が、上端と下端と中央の３箇所に設けられている。また、引手ユニット１０ｘの連結具１３ｘ（図６参照）は、実施の形態１に係る引手ユニット１０ｘより更なる強度を確保するために、断面Ｌ字状の板材を採用している。
【００３１】
このように、棒状部材１１が、引戸Ｄ１の上部から下部の長さに形成されていることより、第１の手掛部１４ａ（図示せず）と第２の手掛部１４ｂとを引戸Ｄ１の上部から下部の間に配置させることができるので、車椅子に乗った人や、子供、身長の高い大人であっても、容易に引戸Ｄ１の開閉を行うことができる。
【００３２】
以上、本発明の実施の形態について説明してきたが、本発明は前記実施の形態に限定されるものではない。例えば、本実施の形態１，２では、棒状部材１１をコ字状部材１２の腕部１２ａ，１２ｂに配列して、後付けが容易な引手ユニット１０としたが、予め引戸Ｄ１に棒状部材１１を所定間隔ごとに配置して手掛部として凹凸面を形成したものでもよい。また、引戸の表面に凹凸面を形成したものとする他に、引戸に凹凸面を埋設したものとしてもよい。
【００３３】
更に、実施の形態１，２では、手掛部としての凹凸面を棒状部材１１により形成していたが、図７（ａ）に示すように、板状部材１５に断面矩形状の山部１６ａを所定間隔ごとに連続して設けることで、引戸の開閉方向に沿って連続する凹凸面としてもよい。また、図７（ｂ）に示すように、板状部材１５に断面三角形状の山部を連続させて設けるようにしてもよい。図７（ａ）や同図（ｂ）においても、安全性の面から鋭角となる角部や頂上部は面取りされているのが望ましい。
【産業上の利用可能性】
【００３４】
本発明の引手は、住宅や施設の廊下と居室との間に設置される引戸や、玄関に設けられる引戸、居室同士の間に設置される引戸に好適である。
【符号の説明】
【００３５】
１０  引戸ユニット
１１  棒状部材
１２  コ字状部材
１２ａ，１２ｂ  腕部
１２ｃ  中継部
１３，１３ｘ  連結具
１４ａ  第１の手掛部
１４ｂ  第２の手掛部
１５  板状部材
１６ａ，１６ｂ  山部
Ｄ１，Ｄ２  引戸
Ｗ  戸枠
【図１】
2012031689.tif 000003
【図２】
2012031689.tif 000004
【図３】
2012031689.tif 000005
【図４】
2012031689.tif 000006
【図５】
2012031689.tif 000007
【図６】
2012031689.tif 000008
【図７】
2012031689.tif 000009